(57)【要約】【課題】僅かな構造上の工夫で、風向きに対応した外気の導入が可能であり、しかも、ブラインド機能と、採光の機能も兼ね備えた窓扉ユニットを提供する。【解決手段】複数の扉部材と、扉部材間を連結する複数の連結部材とからなり、前記連結部材は、対向する前記扉部材に対して、各々の一方の側縁と他方の側縁とにヒンジされ、窓枠側の扉部材が、前記窓枠にヒンジされていることを特徴とする。また、具体的には、前記連結部材が、前記扉部材に対応して、上下複数に分割された中間窓部材で構成され、窓枠側の前記扉部材は、全面がブラインド構造であり、中間窓部材は、全面が採光用の透光板で構成されており、また、窓枠側の扉部材に対して前記中間窓部材を介して連結される扉部材は、全面に通風用の開口部を有する。【選択図】          図１
2004270344.tif 000002
【特許請求の範囲】
【請求項１】
複数の扉部材と、扉部材間を連結する複数の連結部材とからなり、前記連結部材は、対向する前記扉部材に対して、各々の一方の側縁と他方の側縁とにヒンジされ、窓枠側の扉部材が、前記窓枠にヒンジされていることを特徴とする窓扉ユニット。
【請求項２】
前記連結部材は、前記扉部材に対応して、上下複数に分割された中間窓部材で構成されていることを特徴とする、請求項１に記載の窓扉ユニット。
【請求項３】
窓枠側の前記扉部材は、全面がブラインド構造であり、中間窓部材は、全面が採光用の透光板で構成されており、また、窓枠側の扉部材に対して前記中間窓部材を介して連結される扉部材は、全面に通風用の開口部を有することを特徴とする、請求項２に記載の窓扉ユニット。
【請求項４】
窓枠側の前記扉部材は、全面がブラインド構造であり、中間窓部材は、全面が採光用の透光板で構成されており、また、窓枠側の扉部材に対して前記中間窓部材を介して連結される扉部材は、一部分に通風用の開口部があり、かつ、他の部分が採光用の透光板で構成されていることを特徴とする、請求項２に記載の窓扉ユニット。
【請求項５】
窓枠側の前記扉部材は、その一部分に通風用の開口部があり、かつ、他の部分がブラインド構造となっており、また、中間窓部材は、前記開口部に対応するものがブラインド構造となっており、また、窓枠側の扉部材に対して前記中間窓部材を介して連結される扉部材は、全面が採光用の透光板で構成されていることを特徴とする、請求項２に記載の窓扉ユニット。
【発明の詳細な説明】
【０００１】
【発明の属する技術分野】
本発明は、主として、片開きあるいは両開きの洋式窓に装備される窓扉ユニットに関するものである。
【０００２】
【従来の技術】
従来、洋式窓では、屋外側にブラインド構造の扉部材を、また、屋内側に透光板（透明ガラス板や半透明ガラス板）を嵌めた扉部材を、互いに重なるように、同じ窓枠の縁にヒンジした構造になっている。このような構造では、夜間にブラインド構造の扉部材を閉めることで、外部から室内を見通せないようにし、また、昼間には、両扉部材を開放して、また、屋内側の扉部材を半開放して、適量の外気を室内に導くことができる。また、風の強いときには、屋内側の扉部材を閉めて、採光のみを実現することができる。
【０００３】
しかしながら、外気の導入は、その風向きによって、かなり左右され、特に、窓枠と平行に風が吹く場合（例えば、南向きの窓において、西風、東風の場合）には、十分な外気の導入ができない。屋外側の扉部材は、公知の振れ止め具で、適当な開度に保持されるが、一般に屋内側の扉部材には振れ止めがないので、半開きの場合、横風を受けて煽られる畏れがある。そこで、これを避けるため、屋内側の扉部材にも振れ止め具を別に装備している場合もあるが、それだけ構造が複雑になる欠点がある。
【０００４】
【発明が解決しようとする課題】
本発明は、上記事情に基づいてなされたもので、その目的とするところは、僅かな構造上の工夫で、風向きに対応した外気の導入が可能であり、しかも、ブラインド機能と、採光の機能も兼ね備えた窓扉ユニットを提供することである。
【０００５】
【課題を解決するための手段】
このため、本発明の窓扉ユニットでは、複数の扉部材と、扉部材間を連結する複数の連結部材とからなり、前記連結部材は、対向する前記扉部材に対して、各々の一方の側縁と他方の側縁とにヒンジされ、窓枠側の扉部材が、前記窓枠にヒンジされていることを特徴とする。
【０００６】
なお、本発明の好ましい実施の形態として、前記連結部材は、前記扉部材に対応して、上下複数に分割された中間窓部材で構成されているのがよい。また、他の実施の形態として、窓枠側の前記扉部材が、全面がブラインド構造であり、前記中間窓部材が、全面が採光用の透光板で構成されており、また、窓枠側の扉部材に対して前記中間窓部材を介して連結される扉部材が、全面に通風用の開口部を有すること、あるいは、一部分に通風用の開口部があり、かつ、他の部分が採光用の透光板で構成されていることが、それぞれの構造としてのメリットを発揮できる。
【０００７】
また、本発明に係る更に他の実施の形態として、窓枠側の前記扉部材が、その一部分に通風用の開口部があり、かつ、他の部分がブラインド構造となっており、また、中間窓部材が、前記開口部に対応するものがブラインド構造となっており、また、窓枠側の扉部材に対して前記中間窓部材を介して連結される扉部材が、その全面を採光用の透光板で構成させていることにより、それぞれの構造としてのメリットを発揮できる。
【０００８】
このような本発明の構成では、半開き状態で風に外気を導入する場合でも、屋内側の扉部材は、屋外側の扉部材にヒンジされた状態なので、後者が公知の振れ止め具でその開度を維持していれば、これに支えられて、風に煽られる畏れがなく、風向きに対応した外気の導入ができるなどのメリットがあり、しかも、通常のブラインド機能、採光機能も果たすことができる。
【０００９】
【発明の実施の形態】
本発明に係る窓扉ユニットを、図面を参照して具体的に説明する。なお、図１及び図２は本発明に係る窓扉ユニットの基本構造を示す概略構成図であり、図３及び図４はそれらの分解斜視図である。また、図５及び図６は本発明に係る第１の実施の形態を示す構成図、第７図はその機能説明図であり、図８及び図９は本発明に係る第２の実施の形態を示す構成図、図１０はその機能説明図である。
【００１０】
図１及び図２に示す本発明の基本構造は、複数の扉部材（ここでは、屋外側と屋内側の２個の扉部材１、２）と、扉部材間を連結する複数の連結部材（ここでは、上中下の３段に分けられて配置された連結部材３、４、５）とからなり、前記連結部材は、対向する前記扉部材に対して、各々の一方の側縁と他方の側縁とにヒンジされている。また、窓枠６側の扉部材１が、窓枠６にヒンジされてある。なお、この実施の形態では、前記連結部材は、扉部材１、２に対応して、上下３段の縦並びに分割された長方形窓面を構成する中間窓部材で構成されている。
【００１１】
（第１の実施の形態）
以下、本発明に係る第１の実施の形態を、図５〜図７を参照して具体的に説明する。ここでは、扉部材１が、その一方の縦框１ａを、ヒンジピン７を介して窓枠６にヒンジさせており、これと同軸心であるヒンジピン７ａには、中段の中間窓部材（連結部材）４が、その枠部材４ａの一側縁をヒンジしている。また、扉部材１の他方の縦框１ｂには、ヒンジピン８を介して、上下段の中間窓部材（連結部材）３、５が、その枠部材３ａ、５ａの一側縁をヒンジしている。
【００１２】
更に、扉部材２の一方の縦框２ａには、ヒンジピン９を介して、中間窓部材４が、その枠部材４ａの他側縁をヒンジしており、また、扉部材２の他方の縦框２ｂには、ヒンジピン１０を介して、中間窓部材３、５が、その枠部材３ａ、５ａの他側縁をヒンジしている。なお、この実施の形態では、ヒンジピン１０とは、縦框２ｂを挟んで、反対側に軸心をずらせて、上下一対のヒンジピン１０ａ、１０ｂが、それぞれ、扉部材２の上下に突出していて、窓枠６の上下の梁部に形成したガイドスリット６ａ、６ｂに、摺動可能に嵌合されている。なお、符号１１は窓枠６にヒンジピン７を枢支するための軸受けである。また、扉部材１の下側には、公知の、バー形状の振れ止め具１２が枢着してあって、振れ止め具１２に形成した複数の係止孔１２ａに選択的に係止される係止ピン１３が、窓枠６側に装備されている。
【００１３】
そして、上述の構成において、この実施の形態では、扉部材１が、その縦框１ａ、１ｂおよび上下の横框１ｃ、１ｄで囲んだ全面に、非透光板１４を嵌め込んだブラインド構造となっている。また、中間窓部材３、４，５は、それぞれの枠部材で囲まれた全面に、採光用の透光板（透明あるいは／および半透明のガラス板）１５を嵌め込んで、構成されている。更に扉部材２は、縦框２ａ、２ｂおよび上下の横框２ｃ、２ｄで囲んだ面の一部分（この実施の形態では、中間窓部材４に対向する部分）に、横桟２ｅ、２ｆで仕切られた通風用の開口部１６があり、その他の部分（中間窓部材３、５に対向する部分）に、採光用の透光板（透明あるいは／および半透明のガラス板）１７を嵌め込んでいる。この実施の形態では、図示しないが、扉部材２は、縦框２ａ、２ｂおよび上下の横框２ｃ、２ｄで囲んだ全面に通風用の開口部を有する構造としても良いことは勿論である。
【００１４】
このような構成では、図７の（ａ）に示すように、扉部材１に扉部材２を重ねた状態で、ヒンジピン７を中心に扉部材１を開閉動作することで、ブラインド閉め、窓開放（通風全開）の何れかに窓扉ユニットを操作できる（なお、この実施の形態では、窓枠６の一側縁に１つの窓扉ユニットの扉部材１をヒンジした、片開きの洋窓の構造が示されているが、横長の窓枠に対して、左右対称に、窓ユニットを一対使用して、観音開きの形で、両開きの洋窓の構造とすることができる）。
【００１５】
また、図７の（ｂ）に示すように、振れ止め具１２を使用することで、扉部材１を半開きの状態に固定し、その上で、ヒンジピン１０ａ、１０ｂをガイドスリット６ａ、６ｂ内でスライドさせながら、ヒンジピン８を中心に扉部材２を回動し、への字形に屋外側に突出することができる。これにより、窓枠６と平行な方向の風向きでも、扉部材２の開口部１６を通して、外気を受け入れ、扉部材１の内面をディフレクタとして、室内側に外気を導くことができる。この際、中間窓部材３、５は扉部材２の採光板１７に重なった状態となるが、これらにも透光板１５が嵌め込まれているので、採光性は確保できる。
【００１６】
また、図７の（ａ）の状態から、図７の（ｃ）に示すように、ヒンジピン７を中心に回動することで、中間窓部材４を扉部材２と共に回動し、窓枠６に沿わせることで、洋窓の正面を閉じることができる。この場合は、透光板１５を嵌め込んだ中間窓部材４が、扉部材２の開口部１６を塞ぐので、中間窓部材４により、屋外の風を遮りながら、全面で採光の機能を発揮できる。
【００１７】
（第２の実施の形態）
本発明に係る第２の実施の形態においては、扉部材１が、その一方の縦框１ａを、ヒンジピン７を介して窓枠６にヒンジさせており、このヒンジピンには、これと共用するように、上下段の中間窓部材（連結部材）３、５が、その枠部材３ａ、５ａの一側縁をヒンジしている。また、扉部材１の他方の縦框１ｂには、ヒンジピン８を介して、中段の中間窓部材（連結部材）４が、その枠部材４ａの一側縁をヒンジしている。
【００１８】
この実施の形態では、扉部材２が、その縦框２ａ、２ｂおよび上下の横框２ｃ、２ｄで囲んだ全面に、採光用の透光板（透明あるいは／および半透明のガラス板）１７を嵌め込んでいる。また、中間窓部材３、５は、それぞれの枠部材で囲まれた全面に、採光用の透光板（透明あるいは／および半透明のガラス板）１５を嵌め込んで、構成され、また、中間窓部材４は、その枠部材で囲まれた全面に、非透光板１４を嵌め込んでいる。更に、扉部材１は、縦框１ａ、１ｂおよび上下の横框１ｃ、１ｄで囲んだ面の一部分（この実施の形態では、中間窓部材４に対向する部分）に、横桟１ｅ、１ｆで仕切られた通風用の開口部１６があり、その他の部分（中間窓部材３、５に対向する部分）に、非透光板１４を嵌め込んだブラインド構造となっている。
【００１９】
なお、この実施の形態では、その他の構成が第１の実施の形態と同様なので、その構造の説明は省略する。
【００２０】
このような構成では、図１０の（ａ）に示すように、扉部材１に扉部材２を重ねた状態で、ヒンジピン７を中心に扉部材１を開閉動作することで、ブラインド閉め、窓開放（通風全開）の何れかに窓扉ユニットを操作できる（なお、この実施の形態では、窓枠６の一側縁に１つの窓扉ユニットの扉部材１をヒンジした、片開きの洋窓の構造が示されているが、横長の窓枠に対して、左右対称に、窓ユニットを一対使用して、観音開きの形で、両開きの洋窓の構造とすることができる点は、第１の実施の形態で述べた場合と同様である）。なお、ブラインド閉めの場合は、非透光板１４を嵌め込んだ中間窓部材４が、扉部材１の開口部１６を塞ぐので、中間窓部材４により、屋外の風を遮りながら、扉部材１の全面でブラインド機能を発揮できる。
【００２１】
また、図１０の（ｂ）に示すように、振れ止め具１２を使用することで、扉部材１を半開きの状態に固定し、その上で、ヒンジピン１０ａ、１０ｂをガイドスリット６ａ、６ｂ内でスライドさせながら、ヒンジピン８を中心に扉部材２を回動し、への字形に屋外側に突出することができる。このため、窓枠６と平行な方向の風向きでも、扉部材１の開口部１６を通して、外気を受け入れ、扉部材２の内面をディフレクタとして、室内側に外気を導くことができる。この際、中間窓部材３、５は扉部材２の採光板１７に重なった状態となるが、これらにも透光板１５が嵌め込まれているので、採光性は確保できる。
【００２２】
また、図１０の（ａ）の状態から、図１０の（ｃ）に示すように、ヒンジピン７を中心に回動することで、中間窓部材３、５を扉部材２と共に回動し、窓枠６に沿わせることで、洋窓の正面を閉じることができる。
【００２３】
なお、上述の実施の形態では窓扉ユニットとして、扉部材を２枚を用いているが、例えば、更に２枚の扉部材２０を複合し、窓扉ユニットを２組、蛇腹状に連続して構成することで、横長の片開き洋窓あるいは両開き洋窓の片側を構成することも可能である。
【００２４】
【発明の効果】
本発明は、以上詳述したようになるので、半開き状態で風に外気を導入する場合でも、屋内側の扉部材は、屋外側の扉部材にヒンジされた状態なので、後者が公知の振れ止め具でその開度を維持していれば、これに支えられて、風に煽られる畏れがなく、風向きに対応した外気の導入ができるなどのメリットがあり、しかも、通常のブラインド機能、採光機能も果たすことができる。
【図面の簡単な説明】
【図１】本発明に係る基本構造の第１の事例を示す概略構成図である。
【図２】同じく、第２の事例を示す概略構成図である。
【図３】同じく、第１の事例の一部を分解して示す概略斜視図である。
【図４】同じく、第２の事例の一部を分解して示す概略斜視図である。
【図５】本発明に係る第１の実施の形態を示す構成図である。
【図６】同じく、一部を分解して示す構成図である。
【図７】同じく、機能説明図である。
【図８】本発明に係る第２の実施の形態を示す構成図である。
【図９】同じく、一部を分解して示す構成図である。
【図１０】同じく、機能説明図である。
【符号の説明】
１    扉部材
１ａ，１ｂ    縦框
１ｃ，１ｄ    横框
１ｅ，１ｆ    桟
２    扉部材
２ａ，２ｂ    縦框
２ｃ，２ｄ    横框
２ｅ，２ｆ    横桟
３，４，５    中間窓部材（連結部材）
３ａ，４ａ，５ａ    枠部材
６    窓枠
６ａ，６ｂ    ガイドスリット
７，８，９，１０    ヒンジピン
１０ａ，１０ｂ    端部
１１    軸受け
１２    振れ止め具
１２ａ    係止孔
１３    係止ピン
１４    非透光板
１５，１７    透光板
１６    開口部
【図１】
2004270344.tif 000003
【図２】
2004270344.tif 000004
【図３】
2004270344.tif 000005
【図４】
2004270344.tif 000006
【図５】
2004270344.tif 000007
【図６】
2004270344.tif 000008
【図７】
2004270344.tif 000009
【図８】
2004270344.tif 000010
【図９】
2004270344.tif 000011
【図１０】
2004270344.tif 000012